(57)【要約】【課題】保水力の大きい植物育成床を提供する。【解決手段】本発明の植物育成床１は、水を含んだ畳層５と、畳層の上に設けられた土層と、土層の表面側に植えられた植物８と、土層の表面に敷設された土飛散防止シート９とを備えたことを特徴とする。土飛散防止シート９が茣蓙１６であること、畳層５は、複数枚の畳を平面状に並ぶように敷設して形成された畳敷設層１２が上下に複数段重ね合わされて形成され、各段において隣り合う畳の端面と端面との隙間１３が畳層の上下方向で非連続に形成されたこと、土層が腐葉土により形成されたことも特徴とする。【選択図】図１
2009038996.tif 000002
【特許請求の範囲】
【請求項１】
水を含んだ畳層と、畳層の上に設けられた土層と、土層の表面側に植えられた植物と、土層の表面に敷設された土飛散防止シートとを備えたことを特徴とする植物育成床。
【請求項２】
乾燥砂地地帯の砂地面を掘削した穴底に設けられて水を含んだ畳層と、畳層の上に設けられた土層と、土層の表面側に植えられた植物と、土層の表面に敷設された土飛散防止シートとを備えたことを特徴とする植物育成床。
【請求項３】
土飛散防止シートが茣蓙であることを特徴とする請求項１又は請求項２に記載の植物育成床。
【請求項４】
畳層は、複数枚の畳を平面状に並ぶように敷設して形成された畳敷設層が上下に複数段重ね合わされて形成され、各段において隣り合う畳の端面と端面との隙間が畳層の上下方向で非連続に形成されたことを特徴とする請求項１乃至請求項３のいずれかに記載の植物育成床。
【請求項５】
土層が腐葉土により形成されたことを特徴とする請求項１乃至請求項４のいずれかに記載の植物育成床。
【請求項６】
土層が、畳層の上に設けられた瓦片を含有した瓦層と、瓦層の上に設けられた腐葉土層とにより形成されたことを特徴とする請求項１乃至請求項４のいずれかに記載の植物育成床。
【発明の詳細な説明】
【技術分野】
【０００１】
本発明は保水力の大きい植物育成床に関する。
【背景技術】
【０００２】
でんぷんの吸水性及び保水性を利用した植物育成床が知られている（例えば、特許文献１等参照）。
【特許文献１】特開２００６−２０５６６号公報
【発明の開示】
【発明が解決しようとする課題】
【０００３】
しかしながら、特許文献１のような植物育成床では、保水力が小さいという問題点があった。
本発明は、上記課題に鑑みてなされたもので、保水力の大きい植物育成床を提供する。
【課題を解決するための手段及び効果】
【０００４】
本発明の植物育成床は、水を含んだ畳層と、畳層の上に設けられた土層と、土層の表面側に植えられた植物と、土層の表面に敷設された土飛散防止シートとを備えたので、土飛散防止シートが腐葉土層の表面側の乾燥土の飛散を防止するので、乾燥土の下の湿潤土の露出を防止でき、乾燥土の下の湿潤土の乾燥を防止できるので、植物育成床の保水力が高まる。よって、保水力の大きい植物育成床を提供できる。また、畳層を備えたので、畳による高い吸水性及び高い保水性が得られて、保水力の大きい植物育成床を提供できる。また、畳が醗酵して上昇する水蒸気が土層の土の乾燥を防止し、土から植物に対して水分が適切に補強されるようになるので、植物の成長を促進させることができる。
乾燥砂地地帯の砂地面を掘削した穴底に設けられて水を含んだ畳層と、畳層の上に設けられた土層と、土層の表面側に植えられた植物と、土層の表面に敷設された土飛散防止シートとを備えたので、乾燥砂地地帯において保水力の大きい砂漠緑化に適した植物育成床を提供できる。
土飛散防止シートとして茣蓙を用いたことで、茣蓙が畳層の畳の醗酵により上昇する水蒸気の蒸発を防ぐので、植物育成床の保水力が高まる。よって、保水力の大きい植物育成床を提供できる。
畳層は、複数枚の畳を平面状に並ぶように敷設して形成された畳敷設層が上下に複数段重ね合わされて形成され、各段において隣り合う畳の端面と端面との隙間が畳層の上下方向で非連続に形成されたので、畳層の周囲からの畳層への砂の浸入を少なくでき、畳層の保水性が砂によって損なわれにくくなるので、保水力の大きい植物育成床を提供できる。
土層が腐葉土により形成されたので、腐葉土から植物に対して水分及び栄養分が適切に補強されるようになるので、植物の成長を促進させることができる。
土層が、畳層の上に設けられた瓦片を含有した瓦層と、瓦層の上に設けられた腐葉土層とにより形成されたので、瓦片による高い吸水性及び保水性が得られ、保水力の大きい植物育成床を提供できる。
【発明を実施するための最良の形態】
【０００５】
図１及び図２は本発明の最良の形態を示す。図１は植物育成床を断面で示し、図２は植物育成床を上方から見て示す。
【０００６】
図１を参照し、最良の形態の植物育成床を説明する。植物育成床１は、砂漠のような乾燥砂地地帯の砂地面２を掘削した穴３の穴底４に設けられた畳層５と、畳層５の上に設けられた瓦層６と、瓦層６の上に設けられた腐葉土層７と、腐葉土層７の表面側に植えられた植物８と、腐葉土層７の表面に敷設された土飛散防止シート９とを備える。瓦層６と腐葉土層７とにより畳層５の上の土層が形成される。
掘削する穴３の深さは、植える植物８の種類に応じて決められる。
畳層５は、複数枚の廃材畳１１が平面状に並ぶように敷設された畳敷設層１２が、上下方向に複数段設けられて形成される。各段の畳敷設層１２において互いに隣り合う廃材畳１１の端面と端面との隙間１３が畳層５の上下方向で非連続に形成される。これにより、畳層５の周囲からの畳層５への砂の浸入を少なくでき、畳層５の保水性が砂によって損なわれにくくなる。
瓦層６は、廃材瓦を砕いた瓦片１４を畳層５の上に敷き詰めて形成される。
腐葉土層７は、瓦層６の上に腐葉土１０を設け、腐葉土１０を砂地面２の位置まで盛ることにより形成される。
廃材畳１１、廃材瓦は、家屋解体などで廃棄された産業廃棄物である。
【０００７】
図２に示すように、植物８は、腐葉土層７の表面側に複数列状に植えられ、互いに隣り合う植物列１５と植物列１５との間の腐葉土層７の表面には、植物列１５に沿って土飛散防止シート９としての茣蓙１６が敷かれる。植物列１５と植物列１５との間の腐葉土層７の表面にそれぞれ敷かれた茣蓙１６群の飛散を防止するために、茣蓙１６群の上に網ネット１７を張り、網ネット１７を杭１８で植物育成床１に固定する。茣蓙１６を１つずつ杭で植物育成床１に固定しても良いが、茣蓙１６群の上に網ネット１７を張って網ネット１７を杭１８で植物育成床１に固定する方が、茣蓙１６群の飛散防止作業を簡単にできる。
【０００８】
植物育成床１の形成方法を説明する。まず、砂地面２を掘削した穴３の穴底４に、水分を含ませた廃材畳１１を敷いて畳層５を形成する。畳層５の上に水分を含ませた瓦片１４を敷いて瓦層６を形成する。瓦層６の上に水分を含ませた腐葉土１０を砂地面２の位置まで盛って腐葉土層７を形成し、腐葉土層７の表面をならして、腐葉土層７の表面側に、植物列１５を形成する隙間を隔てて互いに隣り合うように茣蓙１６を敷く。茣蓙１６群の上に網ネット１７を張って網ネット１７を杭１８で植物育成床１に固定する。互いに隣り合う茣蓙１６と茣蓙１６との間に植物列１５を形成する。
【０００９】
最良の形態によれば、茣蓙１６が、腐葉土層７の表面側の乾燥腐葉土の飛散を防止する。このため、乾燥腐葉土の下の湿潤腐葉土の露出を防止できるので、乾燥腐葉土の下の湿潤腐葉土の乾燥を防止できるので、植物育成床１の保水力が高まり、保水力の大きい植物育成床１を提供できる。
最良の形態によれば、腐葉土層７の表面に設けられた茣蓙１６が畳層５の廃材畳１１の醗酵により上昇する水蒸気の蒸発を防ぐので、植物育成床１の保水力が高まり、保水力の大きい植物育成床１を提供できる。
最良の形態によれば、畳層５の各段の畳敷設層１２において互いに隣り合う廃材畳１１の端面と端面との隙間１３が畳層５の上下方向で非連続に形成されたので、畳層５の周囲からの畳層５への砂の浸入を少なくでき、畳層５の保水性が砂によって損なわれにくくなるので、保水力の大きい植物育成床１を提供できる。
最良の形態によれば、植物育成床１の最下層に畳層５を備えたので、廃材畳１１による高い吸水性及び高い保水性が得られて、保水力の大きい植物育成床１を提供でき、また、廃材畳１１が醗酵して上昇する水蒸気が腐葉土層７の腐葉土１０の乾燥を防止し、腐葉土１０から植物８に対して水分及び栄養分が適切に補強されるようになるので、植物８の成長を促進させることができる。
最良の形態によれば、瓦層６を備えたので、瓦片１４による高い吸水性及び保水性が得られるので、保水力の大きい植物育成床１を提供できる。
最良の形態によれば、砂漠緑化に適した植物育成床１を提供できる。
【産業上の利用可能性】
【００１０】
本発明の植物育成床１は、乾燥砂地地帯以外に設けてもよい。例えば、砂漠以外でも、雨量の少ない地帯に適用すれば効果的である。
畳層５の上に腐葉土層７のみを設けた植物育成床１としてもよい。
土飛散防止シートとしては、通水性を有したシートを用いればよい。
土飛散防止シート自体を植物育成床１に固定すれば、網ネット１７を不要とできる。
廃材でない瓦や畳を用いて植物育成床１を形成してもよい。
【図面の簡単な説明】
【００１１】
【図１】植物育成床の断面図（最良の形態）。
【図２】植物育成床の平面図（最良の形態）。
【符号の説明】
【００１２】
１  植物育成床、５  畳層、６  瓦層（土層）、７  腐葉土層（土層）、
８  植物、１０  腐葉土、１１  廃材畳（畳）、１３  隙間、１４  瓦片、
１６  茣蓙。
【図１】
2009038996.tif 000003
【図２】
2009038996.tif 000004